(57)【要約】【課題】効果的な広告配信設定を行うことのできる広告配信設定装置、広告配信設定方法及び広告配信設定プログラムを提供すること。【解決手段】本発明の広告配信設定装置は、広告配信の成果を測る複数の指標のうち、どの指標を利用して前記広告配信を行うかの指定を受け付ける指標受付部と、前記指標ごとに成果が格納されたデータベースを参照し、前記指標ごとの成果に基づいて、前記指標受付部で指定を受け付けた指標を利用するか否かを判定する指標判定部と、前記指標判定部での判定結果に基づいて、前記広告配信の設定を行う配信設定部と、を備えることを特徴とする。【選択図】図１
2020052490.tif 000002
【特許請求の範囲】
【請求項１】
広告配信の成果を測る複数の指標のうち、どの指標を利用して前記広告配信を行うかの指定を受け付ける指標受付部と、
前記指標ごとに成果が格納されたデータベースを参照し、前記指標ごとの成果に基づいて、前記指標受付部で指定を受け付けた指標を利用するか否かを判定する指標判定部と、
前記指標判定部での判定結果に基づいて、前記広告配信の設定を行う配信設定部と、
を備えることを特徴とする広告配信設定装置。
【請求項２】
前記指標判定部は、
前記指標受付部で指定を受け付けた指標の前記データベースに格納された成果が所定条件を満たす場合に、前記指標を利用すると判定することを特徴とする請求項１に記載の広告配信設定装置。
【請求項３】
前記指標受付部で受け付けた指標の優先順位を受け付ける優先順位受付部を備え、
前記指標判定部は、
前記優先順位受付部で受け付けた優先順位に基づいて、前記指標受付部で指定を受け付けた指標を利用するか否かを判定することを特徴とする請求項１又は請求項２に記載の広告配信設定装置。
【請求項４】
前記指標判定部で利用すると判定された指標の数が所定数を超える場合又は前記所定数に満たない場合、前記所定数となるまで、前記指標を取捨選択する指標選択部を備えることを特徴とする請求項１乃至請求項３のいずれかに記載の広告配信設定装置。
【請求項５】
前記データベースに格納されている成果に応じて、前記指標に対して重み付けする重み付け部を備え、
前記配信設定部は、
前記重み付け部で前記指標に付与された重み付けに応じて、前記広告配信の設定を行うことを特徴とする請求項１乃至請求項４のいずれかに記載の広告配信設定装置。
【請求項６】
指標受付部が、広告配信の成果を測る複数の指標のうち、どの指標を利用して前記広告配信を行うかの指定を受け付ける工程と、
指標判定部が、前記指標ごとに成果が格納されたデータベースを参照し、前記指標ごとの成果に基づいて、前記指標受付部で指定を受け付けた指標を利用するか否かを判定する工程と、
配信設定部が、前記指標判定部での判定結果に基づいて、前記広告配信の設定を行う工程と、
を備えることを特徴とする広告配信設定方法。
【請求項７】
コンピュータを、
広告配信の成果を測る複数の指標のうち、どの指標を利用して前記広告配信を行うかの指定を受け付ける指標受付部と、
前記指標ごとに成果が格納されたデータベースを参照し、前記指標ごとの成果に基づいて、前記指標受付部で指定を受け付けた指標を利用するか否かを判定する指標判定部と、
前記指標判定部での判定結果に基づいて、前記広告配信の設定を行う配信設定部と、
として動作させることを特徴とする広告配信設定プログラム。
【発明の詳細な説明】
【技術分野】
【０００１】
本発明は、広告配信設定装置、広告配信設定方法及び広告配信設定プログラムに関する。
【背景技術】
【０００２】
近年インターネット上には、多数の仮想店舗が開設されており、一般消費者にとって当該仮想店舗において商品・サービスを購入することは珍しいことではなくなってきている。一方で、インターネット上に多数の仮想店舗が開設されている状況下、店舗間の競争は激化しており、各店舗は業績を維持・向上させるために取扱商品・サービスの販売促進活動が重要なものとなってきている。
【０００３】
そのようなインターネット上での販売促進活動に関するものとして、検索連動型広告やディスプレイ広告がある。検索連動型広告とは、検索サイトにおいて、利用者の入力した検索語(キーワード)に基づいて検索結果のページに表示される広告のことである。検索サイトの利用者が実際に検索したキーワードに関連する広告が表示されるため、一般のウェブサイトに掲載される広告よりも利用者の興味を引きやすく、実際に広告がクリックされビジネスにつながる率が高いとされる。代表的なものに、Googleアドワーズ、オーバーチュア社のスポンサードサーチなどがある。ディスプレイ広告とは、ＷＥＢページやアプリ上の広告枠に表示される広告であり、画像などをクリックすることでユーザを広告主が設定したＷＥＢページへと誘導させることができる。ディスプレイ広告は、バナー画像を表示させることが多いので、バナー広告と呼ばれることもある。
【０００４】
上記広告の成果（効果）を確認するための指標として、クリック件数やコンバージョン件数(例えば購入、資料請求、問い合わせの件数)など、種々の指標が知られている。従来の広告配信においては、利用者に成果を向上させたい指標（例えば、問い合わせ件数）を指定させ、この指定された指標の成果が向上するように広告配信をするものがある。
【先行技術文献】
【特許文献】
【０００５】
【特許文献１】特開２０１６−１７７６２８号公報
【発明の概要】
【発明が解決しようとする課題】
【０００６】
しかしながら、従来の手法では、向上させる対象の指標は複数の中から一つを選択する、または複数の指標を合算するなどして新しい指標を作成した上で一つを選択する必要があった。また、成果の向上を機能させるには一定のサンプル数（件数）が求められるため、利用者は複数の指標の成果数を考慮しながら、一つを選択する、または複数の指標を単純合算したり、重み付けをしながら合算しなければならなかった。そのため、各指標の重要性や優先順位は理解していても、それを意図通りに実際に指標設定することは非常に困難であった。
【０００７】
本発明は、上記課題を鑑みてなされたものであり、効果的な広告配信設定を行うことのできる広告配信設定装置、広告配信設定方法及び広告配信設定プログラムを提供することを目的とする。
【課題を解決するための手段】
【０００８】
上記の課題を解決すべく、本発明の広告配信設定装置は、広告配信の成果を測る複数の指標のうち、どの指標を利用して前記広告配信を行うかの指定を受け付ける指標受付部と、前記指標ごとに成果が格納されたデータベースを参照し、前記指標ごとの成果に基づいて、前記指標受付部で指定を受け付けた指標を利用するか否かを判定する指標判定部と、前記指標判定部での判定結果に基づいて、前記広告配信の設定を行う配信設定部と、を備えることを特徴とする。
【０００９】
上記構成によれば、指標ごとに成果が格納されたデータベースを参照し、指標ごとの成果に基づいて、指標受付部で指定を受け付けた指標を利用するか否かを判定し、該判定結果に基づいて、広告配信の設定を行うので、成果の向上が期待できる指標を選択して効果的な広告配信設定を行うことができる。
【発明の効果】
【００１０】
以上説明したように、本発明によれば、効果的な広告配信設定を行うことのできる広告配信設定装置、広告配信設定方法及び広告配信設定プログラムを提供することができる。
【図面の簡単な説明】
【００１１】
【図１】実施形態に係る広告配信設定システムの概略構成図である。
【図２Ａ】実施形態に係るユーザ端末の構成図である。
【図２Ｂ】実施形態に係るユーザ端末の機能ブロック図である。
【図３Ａ】実施形態に係るサーバの構成図である。
【図３Ｂ】実施形態に係るサーバの記憶装置に格納されているデータベースの一例である。
【図３Ｃ】実施形態に係るサーバの機能ブロック図である。
【図４Ａ】実施形態に係るサーバのユーザ登録処理を示すフローチャートである。
【図４Ｂ】実施形態に係るサーバの成果格納処理を示すフローチャートである。
【図４Ｃ】実施形態に係るサーバの広告配信設定処理を示すフローチャートである。
【発明を実施するための形態】
【００１２】
以下、図面を参照して本発明の実施形態を説明する。
【００１３】
（実施形態）
初めに、図１を参照して広告配信設定システム１の構成について説明する。広告配信設定システム１は、複数のユーザ端末２と、これら複数のユーザ端末２とネットワーク４を介して接続されたサーバ３とを備える。なお、ネットワーク４は、相互に通信できればよくどのような通信網で構成されていてもかまわない。また、広告配信設定システム１が備えるユーザ端末２及びサーバ３の数は任意である。また、サーバ３は、Ｗｅｂサーバの機能を有し、ユーザ端末２は、Ｗｅｂクライアントの機能を有している。サーバ３は、ユーザ端末２に表示されたＷｅｂブラウザに情報を表示させ、Ｗｅｂブラウザ上で入力された情報を取得することが可能に構成されている。
【００１４】
（ユーザ端末２）
図２Ａは、ユーザ端末２の構成図である。ユーザ端末２は、ＰＣ（Personal Computer）や携帯端末（例えば、スマートフォンやタブレット端末）などである。図２Ａは、ユーザ端末２の主なハード構成を示しており、通信ＩＦ２００Ａ、記憶装置２００Ｂ、入力装置２００Ｃ、表示装置２００Ｄ、ＣＰＵ２００Ｅがバス２００Ｆを介して接続された構成を備える。
【００１５】
通信ＩＦ２００Ａは、サーバ３と通信するためのインターフェースである。記憶装置２００Ｂは、例えば、ＨＤＤ（Hard Disk Drive）や半導体記憶装置（SSD: Solid State Drive）である。記憶装置２００Ｂには、ユーザ端末２のユーザＩＤが格納されている。このユーザＩＤは、ユーザ端末２から送信される情報に付与される。なお、本実施形態では、サーバ３が各ユーザ端末２に対してユーザＩＤを決定・付与しているが、ＩＰ（Internet Protocol）アドレス、ＭＡＣ（Media Access Control）アドレスなどをユーザＩＤとして利用してもよい。
【００１６】
入力装置２００Ｃは、例えば、キーボード、マウス、タッチパネルなどであり、ユーザＵは、入力装置２００Ｃを操作して、広告配信設定システム１の運用に必要な情報を入力することができる。表示装置２００Ｄは、例えば、液晶モニタや有機ＥＬモニタなどである。表示装置２００Ｄは、サーバ３から送信される情報に基づいて画面を表示する。
【００１７】
ＣＰＵ２００Ｅは、ユーザ端末２を制御するものであり、図示しないＲＯＭ（Read Only Memory）及びＲＡＭ（Random Access Memory）を備えている。
【００１８】
図２Ｂは、実施形態に係るユーザ端末２の機能ブロック図である。図２Ｂに示すように、ユーザ端末２は、通信部２０１、記憶装置制御部２０２、入力装置制御部２０３、表示装置制御部２０４などを備える。なお、図２Ｂに示す機能は、ユーザ端末２のＲＯＭ（不図示）に記憶された広告配信設定プログラムをＣＰＵ２００Ｅが実行することにより実現される。
【００１９】
通信部２０１は、サーバ３との間で情報の送受信を行う。記憶装置制御部２０２は、記憶装置２００Ｂを制御する。具体的には、記憶装置制御部２０２は、記憶装置２００Ｂへの情報の書き込みや読み出しを行う。入力装置制御部２０３は、入力装置２００Ｃを制御する。具体的には、入力装置制御部２０３は、入力装置２００Ｃで入力された情報を受け付ける。表示装置制御部２０４は、表示装置２００Ｄを制御する。具体的には、表示装置制御部２０４は、サーバ３から送信される情報に基づいて表示装置２００Ｄへ画面を表示させる。
【００２０】
（サーバ３）
図３Ａは、実施形態に係るサーバ３（広告配信設定装置）の構成図である。図３Ａは、サーバ３の主なハード構成を示しており、サーバ３は、通信ＩＦ３００Ａ、記憶装置３００Ｂ、ＣＰＵ３００Ｃがバス３００Ｄを介して接続された構成を備える。なお、サーバ３は、その他、キーボード、マウス、タッチパネルなどの入力装置、及び液晶モニタや有機ＥＬモニタなどの表示装置を備えていてもよい。
【００２１】
通信ＩＦ３００Ａは、ユーザ端末２と通信するためのインターフェースである。記憶装置３００Ｂは、例えば、ＨＤＤ（Hard Disk Drive）や半導体記憶装置（ＳＳＤ(Solid State Drive)）である。なお、記憶装置３００Ｂに格納された情報の詳細については後述する。ＣＰＵ３００Ｃは、実施形態に係るサーバ３（広告配信設定装置）を制御するものであり、図示しないＲＯＭ（Read Only Memory）及びＲＡＭ（Random Access Memory）を備えている。
【００２２】
本実施形態では、図３Ａに示すように、サーバ３が記憶装置３００Ｂを備える構成となっているが、サーバ３とネットワーク４を介して接続された他のサーバが備えていてもよい。また、広告配信設定プログラムをサーバ３とネットワーク４を介して接続された他のサーバからダウンロード可能に構成されていてもよい。
【００２３】
図２Ｂは、実施形態に係るサーバ（広告配信設定装置）の記憶装置に格納されているデータベースの一例である。記憶装置３００Ｂには、図３Ｂに示すように、ユーザＤＢ１、指標ＤＢ２などのデータベースが格納されている。
【００２４】
（ユーザＤＢ１）
ユーザＤＢ１には、広告配信設定システム１を利用するユーザＵの属性情報が、ユーザＵごとにユーザＩＤ（固有識別子）に関連付けて格納されている。属性情報には、例えば、ユーザ名、年齢、性別、連絡先（住所、電話番号、メールアドレス等）、課金のための情報（クレジットカード番号や銀行口座番号等）、ログインＩＤ（ＬＩＤ）、パスワード（ＰＷ）などの情報が含まれている。また、ユーザＤＢ１には、広告配信設定の情報（以下、広告配信設定情報）が、ユーザＵごとにユーザＩＤ（固有識別子）に関連付けて格納されている。
【００２５】
（指標ＤＢ２）
指標ＤＢ２には、指標の成果がユーザＩＤ（固有識別子）に関連付けて格納されている。以下の表１は、指標ＤＢ２に格納されている指標の成果の一例である。
【表１】
2020052490.tif 000003
【００２６】
上記表１に示すように、各ユーザＩＤには、商材（広告配信対象であるＵＲＬ）、配信設定ＩＤ、指標Ａ〜Ｆの成果などの情報が関連付けられている。ここで、指標Ａ〜Ｆは、例えば、広告配信の成果であるインプレッションの件数、クリックの件数、問い合わせの件数、実際に購入に至った件数、問い合わせ１件当たりの広告配信コスト、購入１件当たりの広告配信コストなどである（表１の各指標に対する成果（件数（サンプル数）や金額などの数値））。なお、表１において、同一のユーザＩＤは、同一人物であることを示している。また、各広告配信の成果は、上記表１に示すもの以外にも種々の成果、例えば、資料請求やユーザ登録、来店予約数、電話問い合わせなどのサンプル数（件数）を採用することができる。
【００２７】
以下の表２は、表１の配信設定ＩＤに関連付けられた広告の配信設定の情報の一例である。
【表２】
2020052490.tif 000004
【００２８】
上記表２に示すように、各配信設定ＩＤには、デバイス、ブランド、エリア、キーワード、広告媒体、広告期間、総予算（月額予算等）、クリック単価などの情報が関連付けられている。表２において、デバイスは、広告を出稿する機器の種別であり、例えば、ＰＣ、タブレット、スマートフォン等である。ブランドは、例えば、店舗名、会社名、商品名等である。エリアは、広告を出稿する範囲である。キーワードは、検索に使用される単語等である。広告媒体は、広告を出稿する媒体であり、例えば、グーグル（登録商標）やヤフー（登録商標）である。広告期間は、広告を配信（出稿）する期間である。総予算は、当該広告期間中の広告費の総額（月額の予算等）である。クリック単価は、１クリック当たりに広告業者に払い込む広告費（クリック単価）である。また、各配信設定ＩＤに関連付ける配信設定の情報は、上記表２に示すもの以外にも種々の設定、例えば、インプレッション単価や、ユーザＵの属性情報（例えば、性別、年齢など）、興味関心のあるカテゴリなどを採用することができる。
【００２９】
例えば、ある商材（ＵＲＬ）の指標Ｃ（例えば、問い合わせ件数）を向上させたい場合に、指標Ｃだけを商材の配信設定の最適化の対象としてしまうと、指標Ｃのサンプル数（問い合わせ件数）が著しく少ない場合（例えば、指標ＤＢ２に格納されている上記商材（ＵＲＬ）に関連付けられた問い合わせ件数が数件である場合）、他の指標の数値を全く考慮せず、かつ、指標Ｃの成果を向上させるために参考となる配信設定が存在しないため、商材の配信設定の最適化が全くなされない虞がある。
【００３０】
これに対して、本実施形態では、商材（広告配信対象であるＵＲＬ）と、広告配信の成果（インプレッション数、クリック数、問い合わせ件数、実際に購入に至った件数、問い合わせ１件当たりの広告配信コスト、購入１件当たりの広告配信コストなどの情報）と、その時の配信設定（デバイス、ブランド、エリア、キーワード、広告媒体、広告期間、総予算（月額予算等）、クリック単価などの情報）とを関連付けて指標ＤＢ２に格納している。換言すると、指標ＤＢ２には、商材（ＵＲＬ）の各指標の成果が配信設定ごとに格納されている。このため、指標ＤＢ２を参照することで、各商材について、過去の指標の成果とその時の配信設定との関係性を認識することができる。これにより、指標ＤＢ２を参照して、指標Ｃ（例えば、問い合わせ件数）のサンプル数（件数）が著しく少ない場合に、指標Ｃに加えて、他のサンプル数（件数）の多い指標Ｂ（例えば、クリック数）を参考にして商材の配信設定の最適化を行うことができる。
【００３１】
図３Ｃは、実施形態に係るサーバ３（広告配信設定装置）の機能ブロック図である。図３Ｃに示すように、サーバ３は、記憶装置制御部３０１、指標提示部３０２、指標受付部３０３、優先順位受付部３０４、指標判定部３０５、指標選択部３０６、重み付け部３０７、配信設定部３０８、認証部３０９、成果取得部３１０などを備える。なお、図３Ｃに示す機能は、サーバ３のＲＯＭ（不図示）に記憶された広告配信設定プログラムをＣＰＵ３００Ｃが実行することにより実現される。
【００３２】
記憶装置制御部３０１は、記憶装置３００Ｂを制御する。具体的には、記憶装置制御部３０１は、記憶装置３００ＢのユーザＤＢ１、指標ＤＢ２への情報の書き込みや読み出しを行う。
【００３３】
指標提示部３０２は、広告配信の成果（効果）を測る複数の指標を提示する。指標提示部３０２により提示された複数の指標は、ユーザ端末２の表示装置２００Ｄに表示される。ユーザＵは、ユーザ端末２の入力装置２００Ｃを操作して表示装置２００Ｄに表示された複数の指標から広告の成果を向上させたい指標を指定する。なお、指標提示部３０２により提示される指標は、上記表１に示されるものに限られず、種々の指標を採用することができる。
【００３４】
指標受付部３０３は、広告配信の成果を測る複数の指標のうち、どの指標を利用して広告配信を行うかの指定を受け付ける。具体的には、ユーザ端末２から送信される指標の指定を受け付ける。
【００３５】
優先順位受付部３０４は、指標受付部３０３で受け付けた指標の優先順位を受け付ける。ここで、優先順位は、ユーザＵが指定した指標のうちどの指標から優先して利用するかを示す順位である。
【００３６】
指標判定部３０５は、指標ごとに成果が格納された指標ＤＢ２を参照し、指標ごとの成果に基づいて、指標受付部３０３で指定を受け付けた指標を利用するか否かを判定する。具体的には、指標判定部３０５は、指標受付部３０３で指定を受け付けた指標の指標ＤＢ２に格納された成果が所定条件を満たす場合、指標を利用すると判定する。
【００３７】
より具体的に説明すると、指標判定部３０５は、広告配信の成果のうちインプレッション数、クリック数、問い合わせ件数、実際に購入に至った件数など成果が件数で表される指標については、指標受付部３０３で指定を受け付けた指標の指標ＤＢ２に格納されたサンプル数（件数）が所定数以上である場合、指標を利用すると判定する。
【００３８】
また、指標判定部３０５は、問い合わせ１件当たりの広告配信コスト、購入１件当たりの広告配信コスト、クリック単価など成果が件数ではなく、金額で表される指標については、指標受付部３０３で指定を受け付けた指標の指標ＤＢ２に格納された金額が所定金額未満又は所定金額以上である場合に、指標を利用すると判定する。
【００３９】
この場合、指標判定部３０５は、問い合わせ１件当たりの広告配信コスト、購入１件当たりの広告配信コストクリック単価などコストとみなされる指標については、指標の指標ＤＢ２に格納された金額が所定金額未満である場合に指標を利用すると判定し、１回当たりの購入金額など売上とみなされる指標については、指標の指標ＤＢ２に格納された金額が所定金額以上である場合に、指標を利用すると判定する。
【００４０】
なお、指標判定部３０５は、指標受付部３０３で指定を受け付けた指標を利用するか否かを判定する際、優先順位受付部３０４で受け付けた優先順位に基づいて、指標受付部３０３で指定を受け付けた指標を利用するか否かを判定する。つまり、指標判定部３０５は、優先順位の高い順に指標を利用するか否かを判定する。
【００４１】
指標選択部３０６は、指標判定部３０５で利用すると判定された指標の数が所定数（例えば、３つ）を超える場合又は所定数に満たない場合、所定数となるまで、指標を取捨選択する。具体的には、指標ＤＢ２を参照し、指標選択部３０６は、所定数を超える場合には、指標ＤＢ２に格納されたサンプル数（件数）が少ないものから順に所定数となるまで指標を捨て、所定数に満たない場合には、指標ＤＢ２に格納されたサンプル数（件数）が多いものから順に所定数となるまで指標（指標判定部３０５ですでに利用すると判定されている指標以外の指標）を追加する。なお、所定数は、任意の数であり、１以上であればよい。例えば、所定数は１であってもよいし、指標提示部３０２で提示される全ての指標の数であってもよい。
【００４２】
重み付け部３０７は、優先順位や指標ＤＢ２に格納されている成果に応じて、指標選択部３０６で選択された指標に対して重み付けする。具体的には、重み付け部３０７は、優先順位が高いものや広告配信の成果のうちインプレッション数、クリック数、問い合わせ件数、実際に購入に至った件数など成果が件数で表される指標については、サンプル数（件数）が多く、成果の立証が十分である指標については、重み付けを重くし、優先順位が低いものや指標ＤＢ２に格納されたサンプル数（件数）が少なく、成果の立証が他の指標に比して十分されていない指標については、重み付けを軽くするなどの調整を行う。
【００４３】
また、重み付け部３０７は、問い合わせ１件当たりの広告配信コスト、購入１件当たりの広告配信コスト、クリック単価など成果が件数ではなく、金額で表される指標については、指標受付部３０３で指定を受け付けた指標の指標ＤＢ２に格納された金額に応じて重み付けする。
【００４４】
この場合、重み付け部３０７は、問い合わせ１件当たりの広告配信コスト、購入１件当たりの広告配信コストクリック単価などコストとみなされる指標については、指標の指標ＤＢ２に格納された金額が所定金額よりも少ないもの（指標）ほど重み付けを重くし、優先順位が低いものや指標の指標ＤＢ２に格納された金額が所定金額よりも多いもの（指標）については、重み付けを軽くするなどの調整を行う。
【００４５】
また、重み付け部３０７は、１回当たりの購入金額など売上とみなされる指標については、指標の指標ＤＢ２に格納された金額が所定金額よりも多いもの（指標）ほど重み付けを重くし、優先順位が低いものや指標の指標ＤＢ２に格納された金額が所定金額よりも少ない（指標）については、重み付けを軽くするなどの調整を行う。なお、重み付けには上記の情報以外の情報を用いてもよい。
【００４６】
配信設定部３０８は、指標選択部３０６で選択された指標と、重み付け部３０７による指標への重み付けとに基づいて、広告配信の設定を行う。具体的には、配信設定部３０８は、指標選択部３０６で選択された各指標が、重み付け部３０７で重み付けされた割合で向上するように広告の配信設定を行う。ここで、配信設定部３０８は、表２に示したデバイス、ブランド、エリア、キーワード、広告媒体、広告期間、総予算（月額予算等）、クリック単価の変更・追加・削除などを行うことで広告配信の設定を行う。
【００４７】
例えば、配信設定部３０８は、指標Ｃ（例えば、問い合わせ件数）について、特定の広告の成果を向上させる場合、指標ＤＢ２に格納されている上記特定の広告の過去の配信設定を参照し、指標Ｃのサンプル数（件数）が現状の配信設定よりもよい（サンプル数が多いことを意味する）配信設定に基づいて、現状の配信設定を変更する。具体的には、指標Ｃのサンプル数（件数）が現状の配信設定よりも多い過去の配信設定に基づいて、現状の配信設定のデバイス、ブランド、エリア、キーワード、広告媒体、広告期間、総予算（月額予算等）、クリック単価を変更・追加・削除していく。
【００４８】
認証部３０９は、ユーザ端末２から送信されるログインＩＤとパスワードの組み合わせが、記憶装置３００ＢのユーザＤＢ１に格納されているログインＩＤとパスワードの組み合わせと一致するかどうかを判定し、一致する場合にはログインを許可し、一致しない場合にはログインを許可しない。
【００４９】
成果取得部３１０は、広告配信を行った成果を指標ごとに取得する。具体的には、成果取得部３１０は、配信された広告のインプレッション数、クリック数、コンバージョン数(例えば購入数や資料請求数、問い合わせ数)など表１に示した指標の成果を所定期間（例えば１日）ごとに取得する。なお、成果取得部３１０は、必要に応じて指標の成果を算出する（例えば、平均ＣＰＣ、平均クリック単価など）。成果取得部３１０で取得された成果は、記憶装置制御部３０１により記憶装置３００Ｂの指標ＤＢ２へ格納される。
【００５０】
（サーバ３の処理）
図４Ａ〜図４Ｃは、実施形態に係るサーバ３の処理の一例を示すフローチャートである。以下、図４Ａ〜図４Ｃを参照して、実施形態に係るサーバ３の処理について説明するが、図１〜図３Ｃを参照して説明した構成と同一の構成には同一の符号を付して重複する説明を省略する。
【００５１】
（ユーザ登録処理）
図４Ａは、実施形態に係るサーバ３のユーザ登録処理を示すフローチャートである。以下、図４Ａを参照して、サーバ３のユーザ登録処理について説明する。
【００５２】
（ステップＳ１０１）
初めにユーザＵは、ユーザ端末２の入力装置２００Ｃを操作してサーバ３へとアクセスする。
【００５３】
（ステップＳ１０２）
サーバ３は、ユーザ端末２からアクセスがあると属性情報を入力するための画面情報を生成し、サーバ３からネットワーク４を介してユーザ端末２へ送信する。ネットワーク４を介してサーバ３から送信された画面情報は、ユーザ端末２の表示装置２００Ｄに表示される。ユーザＵは、ユーザ端末２の入力装置２００Ｃを操作して属性情報を入力する。なお、ログインＩＤは、サーバ３が重複しないものを自動で発行するようにしてもよい。入力された属性情報は、通信部２０１によりネットワーク４を介してサーバ３へ送信される。
【００５４】
（ステップＳ１０３）
サーバ３の記憶装置制御部３０１は、ネットワーク４を介してユーザ端末２から送信された属性情報をユーザＩＤに関連付けて記憶装置３００Ｂへ格納する。
なお、上記ユーザ登録においては、入力された属性情報でいったん仮登録を行い、登録されたメールアドレスへ招待用のＵＲＬを送り、該ＵＲＬからアスセスすることで正式に登録する構成としてもよい。
【００５５】
（成果格納処理）
図４Ｂは、実施形態に係るサーバ３の成果格納処理を示すフローチャートである。以下、図４Ｂを参照して、サーバ３の成果格納処理について説明する。
【００５６】
（ステップＳ２０１）
成果取得部３１０は、広告配信を行った成果を指標ごとに取得する。具体的には、成果取得部３１０は、広告配信の成果であるインプレッションの件数、クリックの件数、問い合わせの件数、実際に購入に至った件数、問い合わせ１件当たりの広告配信コスト、購入１件当たりの広告配信コストなど表１に示した指標の成果を所定期間（例えば１日）ごとに取得する。
【００５７】
（ステップＳ２０２）
記憶装置制御部３０１は、ステップＳ１０１で取得された指標の成果を、指標が取得された際の広告の配信設定と共に記憶装置３００Ｂの指標ＤＢ２へ格納する。つまり、各商材について、どのような配信設定の時にどのような成果があったかの情報が指標ごとに指標ＤＢ２に格納される。これにより、ある商材について、どのような配信設定を行うと、どのような成果が得られるかが推測可能となる。
【００５８】
（広告配信設定処理）
図４Ｃは、実施形態に係るサーバ３の広告配信設定処理を示すフローチャートである。以下、図４Ｃを参照して、サーバ３の広告配信設定処理について説明する。
【００５９】
（ステップＳ３０１）
初めに、ユーザＵは、ユーザ端末２の入力装置２００Ｃを操作してサーバ３へアクセスする。ユーザ端末２からアクセスがあると、サーバ３は、ログインＩＤおよびパスワードを入力するための画面情報を生成し、ネットワーク４を介してユーザ端末２へ送信する。ネットワーク４を介してサーバ３から送信された画面情報は、ユーザ端末２の表示装置２００Ｄに表示される。ユーザＵは、ユーザ端末２の入力装置２００Ｃを操作して、ログインＩＤおよびパスワードを入力する。入力したログインＩＤおよびパスワードは、通信部２０１によりネットワーク４を介してサーバ３へ送信される。
【００６０】
（ステップＳ３０２）
サーバ３の認証部３０９は、ユーザ端末２から送信されるログインＩＤとパスワードの組み合わせが、記憶装置３００ＢのユーザＤＢ１に格納されているログインＩＤとパスワードの組み合わせと一致するかどうかを判定する。ログインＩＤとパスワードの組み合わせが一致しない場合（Ｓ３０２のＮＯ）、認証部３０９はＳ３０１の処理へと戻る。なお、Ｓ３０１の処理へと戻る際に、ログインエラーをユーザ端末２の表示装置２００Ｄに表示するようにしてもよい。また、ログインＩＤとパスワードの組み合わせが一致する場合（Ｓ３０２のＹＥＳ）認証部３０９は、サーバ３へのログインを許可する。
【００６１】
（ステップＳ３０３）
サーバ３の指標提示部３０２は、広告配信の成果を測る複数の指標を提示する。この指標は、指標ＤＢ２に格納されている指標の項目（表１参照）を利用して提示される。
【００６２】
（ステップＳ３０４）
指標提示部３０２により提示された複数の指標は、ユーザ端末２の表示装置２００Ｄに表示される。ユーザＵは、ユーザ端末２の入力装置２００Ｃを操作して表示装置２００Ｄに表示された複数の指標から広告の成果を向上させたい指標を指定する。指標受付部３０３は、ユーザＵがユーザ端末２の入力装置２００Ｃを操作して指定した指定を受け付ける。
【００６３】
（ステップＳ３０５）
優先順位受付部３０４は、ユーザＵがユーザ端末２の入力装置２００Ｃを操作して入力した優先順位（ユーザＵが指定した指標のうちどの指標から優先して利用するかを示す順位）を受け付ける。
【００６４】
（ステップＳ３０６）
指標判定部３０５は、指標ごとに成果が格納された指標ＤＢ２を参照し、指標ごとの成果に基づいて、指標受付部３０３で指定を受け付けた指標を利用するか否かを、優先順位受付部３０４で受け付けた優先順位に基づいて判定する。
【００６５】
（ステップＳ３０７）
指標選択部３０６は、指標判定部３０５で利用すると判定された指標の数が所定数（例えば、３つ）を超える場合又は所定数に満たない場合、所定数となるまで、指標を取捨選択する。
【００６６】
（ステップＳ３０８）
重み付け部３０７は、指標ＤＢ２に格納されている成果に応じて、指標選択部３０６で選択された指標に対して重み付けする。
【００６７】
（ステップＳ３０９）
配信設定部３０８は、指標選択部３０６で選択された指標と、重み付け部３０７で指標に重み付けとに基づいて、広告配信の設定を行う。
【００６８】
なお、上記説明では、重み付け部３０７が指標ＤＢ２に格納されている成果に応じて、指標選択部３０６で選択された指標に対して重み付けする構成となっているが、重み付け部３０７が、指標受付部３０３で指定を受け付けた指標に対して重み付けをしたのち、指標判定部３０５は、指標ごとに成果が格納された指標ＤＢ２を参照し、指標ごとの成果に基づいて、指標受付部３０３で指定を受け付けた指標を利用するか否かを、優先順位受付部３０４で受け付けた優先順位に基づいて判定するようにしてもよい。
【００６９】
以上のように、本実施形態に係るサーバ３（広告配信設定装置）は、広告配信の成果を測る複数の指標のうち、どの指標を利用して前記広告配信を行うかの指定を受け付ける指標受付部３０３と、指標ごとに成果が格納された指標ＤＢ２を参照し、指標ごとの成果に基づいて、指標受付部で指定を受け付けた指標を利用するか否かを判定する指標判定部３０５と、指標判定部での判定結果に基づいて、広告配信の設定を行う配信設定部３０８と、を備えている。
【００７０】
すなわち、指標ごとの成果に基づいて、指標受付部３０３で指定を受け付けた指標を利用するか否かを判定して、広告配信の設定を行っている。このため、成果の向上が期待できる指標を効果的に選択して広告配信設定を行うことができ、広告配信効果の向上が期待できる。また、ユーザＵがどの指標を利用すれば広告配信の効果が向上するかを試行錯誤する必要がなく、ユーザＵの広告配信設定の負担を低減することができる。また、ユーザＵは、成果を期待する指標を選択するだけでよく、難しい広告配信の設定から解放され、心理的負担感が軽減される。
【００７１】
また、何を目指して広告配信の設定を運用しているのかが不明瞭であると、そもそも効果が測れないばかりか、無駄な広告費を垂れ流している状態となる（例えば、売上を増やしたいのか、サービスサイトの会員数を増やしたいのか、はたまたローンチ直後などサイトへの誘導数を増やしたいのか、目的に応じて見るべき指標が変わってくる）。しかし、本実施形態に係るサーバ３（広告配信設定装置）では、そもそも効果が測れない指標を設定することを抑制でき、無駄な広告費を垂れ流すことを抑制できる。
【００７２】
また、本実施形態に係るサーバ３の指標判定部３０５は、指標受付部３０３で指定を受け付けた指標の指標ＤＢ２に格納された成果が所定条件を満たす場合に、指標を利用すると判定する。このため、格納された成果の小さな指標の利用を排除して、成果が確実に見込める指標を利用して広告配信設定を行うことができる。このため、広告配信効果のさらなる向上が期待できる。
【００７３】
また、本実施形態に係るサーバ３は、指標受付部３０３で受け付けた指標の優先順位を受け付ける優先順位受付部３０４を備え、指標判定部３０５は、優先順位受付部３０４で受け付けた優先順位に基づいて、指標受付部３０３で指定を受け付けた指標を利用するか否かを判定する。すなわち、ユーザＵが指定した優先順位に従って指標を利用するか否かを判定していくので、ユーザＵの意向が反映されやすく、ユーザＵが希望する設定に近い形で広告配信設定を行うことができる。
【００７４】
また、本実施形態に係るサーバ３は、指標判定部３０５で利用すると判定された指標の数が所定数（例えば、３つ）を超える場合又は所定数に満たない場合、所定数となるまで、指標を取捨選択する指標選択部３０６を備える。すなわち、指標を所定数に限ることで、所定数を超える場合には、効果の小さな指標を捨て、所定数に満たない場合には、指標を追加するので、効果の高い指標に注力した広告配信設定を行うことができる。この結果、広告配信設定による広告の効果が増強される。
【００７５】
また、本実施形態に係るサーバ３は、指標ＤＢ２に格納されている成果に応じて、指標に対して重み付けする重み付け部３０７を備える。そして、配信設定部３０８は、重み付け部で指標に付与された重み付けに応じて、広告配信の設定を行う。このため、例えば、優先順位が高いものや格納されたサンプル数（件数）や金額が多く、成果の立証が十分である指標については、重み付けを重くし、優先順位が低いものや格納されたサンプル数（件数）や金額が少なく、成果の立証が他の指標に比して十分されていない指標については、重み付けを軽くすることで、より効果的に広告配信設定を行うことができる。
【００７６】
単に、各指標を等分の重みがあるものとして単純に合算してしまうと、指標Ａに十分なサンプル量があるものの、指標Ｃの方がサンプル数（件数）がずっと多いといった場合、大事なはずの指標Ａが最適化には活かされなくなってしまい、ユーザＵの意図と反する虞があるが、格納されたサンプル数（件数）に応じて各指標の重み付けを行うことで、このような問題が生じることを抑制することができる。また、指標Ａと指標Ｃを合算する際に重み付けを行おうとしても、厳密に指標Ａと指標Ｃの価値の差分を算出し、指標Ａは指標Ｃの１．３倍の価値があるなどと算出するのは困難を極める。
【００７７】
（その他の実施形態）
本発明は、前記各形態の構成に限定されるものではなく、その要旨を逸脱しない限りにおいて適宜に設計変更して具体化できる。例えば、本発明に係る広告配信設定装置、広告配信設定方法および広告配信設定プログラムは、ディスプレイ広告、リスティング広告、ＳＮＳ内に表示される広告など種々の広告の配信設定に適用可能である。
【００７８】
また、上記実施形態では、特定の広告について指標の成果を向上させたい場合、配信設定部３０８は、指標ＤＢ２に格納されている同一商材の過去の配信設定に基づいて配信設定を変更（最適化）しているが、商材のカテゴリ（例えば、和菓子、フランス料理、日本料理など）が同一であれば、他の商材の過去の配信設定（向上させたい指標のサンプル数（件数）が現状の配信設定よりもよいことが前提である）に基づいて、現状の配信設定のデバイス、ブランド、エリア、キーワード、広告媒体、広告期間、総予算（月額予算等）、クリック単価を変更・追加・削除していくようにしてもよい。
【００７９】
また、商材のカテゴリ以外にも、２つの商材の設定項目の重複率が高い場合（例えば、購入しているキーワードの重複率が所定の閾値を越えている場合）に、他の商材の過去の配信設定（向上させたい指標のサンプル数（件数）が現状の配信設定よりもよいことが前提である）に基づいて、現状の配信設定のデバイス、ブランド、エリア、キーワード、広告媒体、広告期間、総予算（月額予算等）、クリック単価を変更・追加・削除していくようにしてもよい。
【００８０】
また、上記実施形態では、指標提示部３０２が指標を提示して、ユーザＵに選択させたのち、この選択された指標を利用するか否かを指標判定部３０５が判定する構成となっているが、指標判定部３０５で利用可能な指標を予め判定し、利用可能な指標を指標提示部３０２が提示する構成としてもよい。この場合、指標提示部３０２により提示される指標が予め利用可能なものに制限されているので、ユーザＵに提示した指標の優先順位のみを入力させるように構成してもよい。
【００８１】
また、本発明は、複数指標から最適化したいものを選んで設定を変更するものであれば、広告以外、例えば、健康管理、資産運用、学力向上、経営管理といったシステムについても適用が可能である。
【産業上の利用可能性】
【００８２】
以上説明したように、本発明は、効果的な広告配信設定を行うことのできる広告配信設定装置、広告配信設定方法及び広告配信設定プログラムを提供することができる。
【符号の説明】
【００８３】
１  広告配信設定装置システム
２  ユーザ端末
２００Ａ  通信ＩＦ
２００Ｂ  記憶装置
２００Ｃ  入力装置
２００Ｄ  表示装置
２００Ｅ  ＣＰＵ
２００Ｆ  バス（ＢＵＳ）
２０１  通信部
２０２  記憶装置制御部
２０３  入力装置制御部
２０４  表示装置制御部
３  サーバ（広告配信設定装置）
３０１  記憶装置制御部
３０２  指標提示部
３０３  指標受付部
３０４  優先順位受付部
３０５  指標判定部
３０６  指標選択部
３０７  重み付け部
３０８  配信設定部
３０９  認証部
３１０  成果取得部
４  ネットワーク
【図１】
2020052490.tif 000005
【図２Ａ】
2020052490.tif 000006
【図２Ｂ】
2020052490.tif 000007
【図３Ａ】
2020052490.tif 000008
【図３Ｂ】
2020052490.tif 000009
【図３Ｃ】
2020052490.tif 000010
【図４Ａ】
2020052490.tif 000011
【図４Ｂ】
2020052490.tif 000012
【図４Ｃ】
2020052490.tif 000013